(57)【要約】【課題】製造コストを上げずに、効率よく被照明物を照明することができる原稿照明ユニットとそれを用いた画像読取装置及び画像形成装置を提供すること。【解決手段】原稿面を照明する発光源を備える原稿照明ユニットにおいて、前記発光源は、長手方向と短手方向とを有する面発光源であり、該面発光源は、少なくとも片面に発光面を有し、該発光面は、長手方向において窪んだ凹面であることを特徴とする。【選択図】図５
2009069452.tif 000002
【特許請求の範囲】
【請求項１】
原稿面を照明する発光源を備える原稿照明ユニットにおいて、
前記発光源は、長手方向と短手方向とを有する面発光源であり、
該面発光源は、少なくとも片面に発光面を有し、
該発光面は、長手方向において窪んだ凹面であることを特徴とする原稿照明ユニット。
【請求項２】
前記発光面は、長手方向において連続的に湾曲していることを特徴とする請求項１に記載の原稿照明ユニット。
【請求項３】
前記発光面は、前記長手方向において複数の発光面からなり、
該複数の発光面が前記長手方向において窪んだ凹面を構成するように配置されていることを特徴とする請求項１に記載の原稿照明ユニット。
【請求項４】
前記面発光源は、基板と、該基板上に形成された有機エレクトロルミネッセンス層とを備えることを特徴とする請求項１乃至３のいずれか１に記載の原稿照明ユニット。
【請求項５】
請求項１乃至４のいずれか１に記載の原稿照明ユニットを備えることを特徴する画像読取装置。
【請求項６】
請求項５に記載の画像読取装置を備えることを特徴とする画像形成装置。
【発明の詳細な説明】
【技術分野】
【０００１】
本発明は、原稿面近傍を走査しながら原稿面を照明する原稿照明ユニットと、それを用いた画像読取装置、画像形成装置に関するものであり、より詳しくは、原稿の画像情報をライン状に素子を配列した撮像素子上に結像させ、該撮像素子により画像情報を読み取るようにしたデジタル複写機、ファクシミリ等に使用される原稿照明ユニットに関するものである。
【背景技術】
【０００２】
従来の原稿照明ユニット、画像読取装置および画像形成装置について、図面を参照しながら以下に説明する。
（画像読取装置）
図１は、従来の画像読取装置の構成を示す概略図である。
図１において、読み取られるべき画像を有する原稿２は「原稿台」としてのコンタクトガラス１上に平面的に定置され、コンタクトガラス１の下部に照明手段を配置し、照明手段としては図面に直交する方向に長い管灯３Ａ（キセノンランプ、ハロゲンランプ等）、およびリフレクタ３Ｂで構成される照明ユニットを用い、「図面に直交する方向に長いスリット状部分」を照明させる。
【０００３】
原稿２の照明された部分からの反射光（画像による反射光）は、第１走行体３に設けられた第１ミラー３Ｃにより反射された後、第２走行体４に設けられた第２ミラー４Ａ、第３ミラー４Ｂにより順次反射され、画像読取レンズ５を透過し、光電変換素子としてのラインセンサ６の撮像面上に原稿画像の縮小像として結像する。第１〜第３ミラー３Ｃ、４Ａ、４Ｂは「反射光学系」を構成する。
【０００４】
第１走行体３、第２走行体４は、図示されない駆動手段により、それぞれ矢印方向（図の右方）へ走行させられる。第１走行体３の走行速度は「Ｖ」、第２走行体４の走行速度は「Ｖ／２」である。この走行により、第１走行体３、第２走行体４は、それぞれ「破線で示す位置」（第１走行体３’、第２走行体４’）まで変位する。
照明ユニット３Ａ、３Ｃは、第１走行体３と一体的に移動し、コンタクトガラス１上の原稿２の全体を「照明走査」する。
第１、第２走行体の移動速度比は「Ｖ：Ｖ／２」であるので「照明走査される原稿部分から画像読取レンズに至る光路長」は不変に保たれる。
【０００５】
「撮像部」であるラインセンサ６は、「色分解手段として赤（Ｒ）、緑（Ｇ）、青（Ｂ）のフィルタを持った光電変換素子（６Ａ、６Ｂ、６Ｃ）を、１チップに３列に配列させた３ラインＣＣＤ（３ラインのラインセンサ）」であり、原稿２の照明走査に伴い、原稿画像を画像信号化する。このようにして原稿２の読取りが実行され、原稿２のカラー画像は、赤、緑、青の３原色に色分解して読取られる。
【０００６】
また、この画像読取装置は、画像をフルカラーで読取る装置であって、画像読取レンズ５の結像光路中に設けられた「色分解手段（前記３ラインＣＣＤに設けられた赤、緑、青のフィルタ）」を有する。
【０００７】
なお、画像読取装置の他の形態として「コンタクトガラス上の原稿をスリット状に照明する照明手段と、ラインセンサと、原稿の被照明部からラインセンサに至る結像光路を形成する複数のミラーと、上記結像光路上に配置される画像読取レンズと」を相互に一体化した読取ユニットを、駆動手段により原稿に相対的に走行させることにより原稿を読取走査するようにした形態のものとすることもできる。
【０００８】
「色分解」は、上記とは別に、画像読取レンズとラインセンサ（ＣＣＤ）との間に色分解プリズムやフィルタを選択的に挿入し、Ｒ（赤）、Ｇ（緑）、Ｂ（青）に色分解する方法や「Ｒ、Ｇ、Ｂの光源を順次点灯させ原稿を照明する方法」を用いることができる。
【０００９】
（画像形成装置）
図２は従来の画像形成装置の構成を示す概略図である。
この画像形成装置は、装置上部に位置する画像読取装置２００と、その下位に位置する「画像形成部」とを有する。画像読取装置２００の部分は、図１に即して説明したのと同様のものであり、各部には図１と同じ符号を付してある。
【００１０】
画像読取装置２００の３ラインのラインセンサ（撮像手段）６から出力される画像信号は画像処理部１２００に送られ、画像処理部１２００において処理されて「書込み用の信号（イエロー・マゼンタ・シアン・黒の各色を書込むための信号）」に変換される。
【００１１】
画像形成部は、「潜像担持体」として円筒状に形成された光導電性の感光体１１００を有し、その周囲に、帯電手段としての帯電ローラ１１１０、リボルバ式の現像装置１１３０、転写ベルト１１４０、クリーニング装置１１５０が配設されている。帯電手段としては帯電ローラ１１１０に代えて「コロナチャージャ」を用いることもできる。
画像処理部１２００から書込み用の信号を受けて光走査により感光体１１００に書込みを行う光走査装置１１７０は、帯電ローラ１１１０と現像装置１１３０との間において感光体１１００の光走査を行うようになっている。
【００１２】
符号１１６０は定着装置、符号１１８０はカセット、符号１１９０はレジストローラ対、符号１２２０は給紙コロ、符号１２１０はトレイ、符号Ｓは「記録媒体」としての転写紙を示している。
画像形成を行うときは、光導電性の感光体１１００が時計回りに等速回転され、その表面が帯電ローラ１１１０により均一帯電され、光走査装置１１７０のレーザビームの光書込による露光を受けて静電潜像が形成される。形成された静電潜像は所謂「ネガ潜像」であって画像部が露光されている。
「画像の書込み」は、感光体１１００の回転に従い、イエロー画像、マゼンタ画像、シアン画像、黒画像の順に行われ、形成された静電潜像はリボルバ式の現像装置１１３０の各現像ユニットＹ（イエロートナーによる現像を行う）、Ｍ（マゼンタトナーによる現像を行う）、Ｃ（シアントナーによる現像を行う）、Ｋ（黒トナーによる現像を行う）により順次反転現像されてポジ画像として可視化され、得られた各色トナー画像は、転写ベルト１１４０上に、転写電圧印加ローラ１１４Ａにより順次転写され、上記各色トナー画像が転写ベルト１１４０上で重ね合わせられてカラー画像となる。
【００１３】
転写紙Ｓを収納したカセット１１８０は、画像形成装置本体に脱着可能であり、図のごとく装着された状態において、収納された転写紙Ｓの最上位の１枚が給紙コロ１２２０により給紙され、給紙された転写紙Ｓはその先端部をレジストローラ対１１９０に捕えられる。
【００１４】
レジストローラ対１１９０は、転写ベルト１１４０上の「トナーによるカラー画像」が転写位置へ移動するのにタイミングを合わせて転写紙Ｓを転写部へ送り込む。送り込まれた転写紙Ｓは、転写部においてカラー画像と重ね合わせられ、転写ローラ１１４Ｂの作用によりカラー画像を静電転写される。転写ローラ１１４Ｂは、転写時に転写紙Ｓをカラー画像に押圧させる。
【００１５】
カラー画像を転写された転写紙Ｓは定着装置１１６０へ送られ、定着装置１１６０においてカラー画像を定着され、図示されないガイド手段による搬送路を通り、図示されない排紙ローラ対によりトレイ１２１０上に排出される。各色トナー画像が転写されるたびに、感光体１１００の表面はクリーニング装置１１５０によりクリーニングされ、残留トナーや紙粉等が除去される。
なお、画像形成部の構成は、周知の単色画像形成用の構成に変えることができる。
【００１６】
図１に示す画像読取装置に用いられるキセノンランプ、ハロゲンランプ等の管灯は、一般的に消費電力が大きく、また、発熱が大きいことから装置全体の温度を上昇させてしまう。画像読取装置内の温度上昇は光学系の共役関係を崩し、光電変換素子からピントがずれて結像しなくなり、良好な画像を得られなくなることが問題になってきている。
【００１７】
そこで、キセノンランプ等の管灯に替わる新しい照明光源が必要とされてきている。消費電力と発熱の少ない照明光源としてＬＥＤが挙げられるが、ＬＥＤは点光源であるために、拡散や、集光させることや、付随する光学系が必要となる。例えば、特許文献１では、ＬＥＤを一列に並べ、導光体を通して原稿を照明する照明ユニットが示されている。また別の公知技術としては、特許文献２において、配列したＬＥＤの前に長尺のレンズ系を配置して、ＬＥＤの配列と直交する方向への照明の集光度を高くする照明ユニットが示されている。しかし、これらのようなＬＥＤを用いた光学系の大型化や部品点数の増加にともなう調整、コストの課題がある。
【００１８】
そこで、ＬＥＤに替わる有機エレクトロルミンネッセンス（Ｏｒｇａｎｉｃ  ｅｌｅｃｔｏｒｏｌｕｍｉｎｅｓｃｅｎｃｅ；有機ＥＬ）用いた照明ユニットが提示されている。特許文献３では、２つの面光源を近接配置して原稿面を照明し、２つの面光源の間に空隙を設けてその空隙から原稿面情報を読み取るものである。
【００１９】
しかしながら、上記の従来技術では、面光源からの照明光は発光面の中心上が最も明るくなり、原稿情報を読取る位置は発光面の端部であることから考えると、面光源からの照明光はほとんど利用されることなく、実際に原稿情報を読み取るために使われる光量は発光面からの発する光量のうちの少量となり、照明効率が非常に悪い。
【００２０】
また照明効率を上げる従来技術としては、特許文献４では面光源の上に反射部材を配置して原稿情報を読取る位置の照明光量を増やすことを目的としている。また、特許文献５では、面光源の発光面上に微小プリズムを多数形成し、発光方向の志向性を高めて原稿面を照らすことを目的としている。
【００２１】
しかしながら、一般的に発光面はランバートな配光分布であると仮定でき、原稿面に照射される光量を考えると、原稿面までの距離の二乗に反比例して暗くなっていく。従って、反射部材を発光面と原稿読取位置の間に配置する特許文献４に記載の発明における構成では、発光面は原稿読取位置から離れて配置するため原稿面状の照度は暗くなり易く、反射部材に光を集めるような構成にする場合は、反射部材の位置調整により原稿面の照度が発生するなど調整が難しい。さらには照明系自体が大きくなり照明ユニットの小型化が難しい。
【００２２】
また、特許文献５では、微小のプリズムを多数形成する場合製造コストが高くなり、さらには、プリズムを形成することにより原稿面から照明ユニットが離れてしまうため、原稿面照度が暗くなり、効率よく照明することが難しくなる。
【００２３】
一方、特許文献６では、コンタクトガラスに面発光光源を直に配置する照明ユニットが提示されているが、照明ユニットがコンタクトガラスと一体であるために、コンタクトガラスの下を照明ユニットが走査するような構成の画像読取装置では用いることが出来ない。
【００２４】
【特許文献１】特開２００６−０２５３０３号公報
【特許文献２】特開２００５−２７８１３２号公報
【特許文献３】特開２０００−１１５４７０号公報
【特許文献４】特開２００７−１３９１３号公報
【特許文献５】特開平６−２１７０８３号公報
【特許文献６】特開２００６−６０５２８号公報
【発明の開示】
【発明が解決しようとする課題】
【００２５】
そこで本発明は、上記の問題に鑑みて為されたものであり、製造コストを上げずに、効率よく原稿を照明することができる原稿照明ユニットと、それを用いた画像読取装置及び画像形成装置を提供することを第１の目的とする。
また本発明は上記目的と同時に、原稿情報を結像レンズによりラインセンサ上に縮小結像して読み取る際のレンズの画角に起因する光量の変化についても容易に補正できる原稿照明ユニットと、それを用いた画像読取装置及び画像形成装置を提供することを第２の目的とする。
【課題を解決するための手段】
【００２６】
上記課題を解決するために本発明に係る原稿照明ユニット、及び該原稿照明ユニットを用いた画像読取装置、並びに画像形成装置は、具体的には下記（１）〜（６）に記載の技術的特徴を有する。
【００２７】
（１）：原稿面を照明する発光源を備える原稿照明ユニットにおいて、前記発光源は、長手方向と短手方向とを有する面発光源であり、該面発光源は、少なくとも片面に発光面を有し、該発光面は、長手方向において窪んだ凹面であることを特徴とする原稿照明ユニットである。
上記（１）の構成によれば、特別に原稿照明ユニットを大きくすることなく、原稿面から比較的近い位置から照明することが可能となり、原稿面を明るく照明することが出来るため、照明ユニットないしは画像読取装置の小型化が達成できる。
【００２８】
（２）：前記発光面は、長手方向において連続的に湾曲していることを特徴とする上記（１）に記載の原稿照明ユニットである。
上記（２）の構成によれば、エネルギーの変換効率が従来のキセノンのような管灯に比べて高いため、原稿照明ユニットにおける消費電力を下げることが可能となる。
【００２９】
（３）：前記発光面は、前記長手方向において複数の発光面からなり、該複数の発光面が前記長手方向において窪んだ凹面を構成するように配置されていることを特徴とする上記（１）に記載の原稿照明ユニットである。
上記（３）の構成によれば、エネルギーの変換効率が従来のキセノンのような管灯に比べて高いため、原稿照明ユニットにおける消費電力を下げることが可能となる。
【００３０】
（４）：前記面発光源は、基板と、該基板上に形成された有機エレクトロルミネッセンス層とを備えることを特徴とする上記（１）乃至（３）のいずれか１に記載の原稿照明ユニットである。
上記（４）の構成によれば、原稿照明ユニットの端部の光量を中心部よりも上げることができ、原稿情報を結像レンズにより縮小結像する場合、中心部よりも端部の方が光量が低下してしまうのを抑制し、ラインセンサ上における中心部と端部の光量差を容易に低減することが可能となる。
【００３１】
（５）：上記（１）乃至（４）のいずれか１に記載の原稿照明ユニットを備えることを特徴する画像読取装置である。
上記（５）の構成によれば、本発明の原稿照明ユニットを画像読取装置に用いることにより、結像レンズ等に起因する光量の変動等を効率的に補正でき、画像読取装置の消費電力の低減できるとともに、装置を小型化にも有利となる。
【００３２】
（６）：上記（５）に記載の画像読取装置を備えることを特徴とする画像形成装置である。
上記（６）の構成によれば、本発明の画像読取装置を用いることにより、画像形成装置の消費電力を低減できる。
【発明の効果】
【００３３】
本発明に係る原稿照明ユニット、及び該照明ユニットを用いた画像読取装置、画像形成装置によれば、製造コストを上げずに、効率よく原稿を照明することができる。
【発明を実施するための最良の形態】
【００３４】
本発明の原稿照明ユニット、及び該照明ユニットを用いた画像読取装置、画像形成装置の基本的な構成に関して以下に説明する。
なお、以下に述べる実施の形態は本発明の好適な実施の形態であるから、技術的に好ましい種々の限定が付されているが、本発明の範囲は以下の説明において特に本発明を限定する旨の記載がない限りこれらの態様に限られるものではない。
【００３５】
（原稿照明ユニット）
〔第１の実施の形態〕
図３は本発明に係る原稿照明ユニットにおける第１の実施の形態の構成を示す短手方向断面概略図である。
また、図４は本発明に係る原稿照明ユニットにおける第１の実施の形態の構成を示す概略斜視図である。
図３に示す原稿照明ユニットは、基板１００上に陰極層１０１、電子輸送層１０２、発光層１０３、正孔輸送層１０４及び陽極層１０５からなる有機エレクトロルミネッセンス層が順次積層された構成の面発光源１０６を有する。該面発光源は、上記構成に加えて、さらに各層を機械的負荷や湿度などの環境的負荷から保護する保護層を有する構成であっても良い。
また、図３には本発明の原稿照明ユニットの機能の説明のために、コンタクトガラス１及び原稿（原稿面）２を記載しているが、これらは本発明の照明ユニットにおける構成要素として必要なものではない。
【００３６】
上記層構成を有する面発光源１０６は、少なくとも片面が発光面であって、図４に示すように互いに直行する長手方向と短手方向における長手方向において、窪んだ凹面形状である。
また、本実施の形態の原稿照明ユニットを画像読取装置または画像形成装置に搭載した場合、上記長手方向は主走査方向、上記短手方向は副走査方向に相当し、原稿面近傍において原稿照明ユニットを走査することで原稿を照明する。
【００３７】
基板１００は、公知の材料を用いることができるが、変形可能で機械的強度や生産性に優れたプラスチックからなることが好ましい。
【００３８】
電子輸送層１０２に用いられる代表的な材料は、オキサジアゾール誘導体やトリアゾール誘導体等である。
【００３９】
発光層１０３に用いられる材料は一般的に低分子化合物による蒸着薄膜材料と高分子系のポリマー薄膜材料に大別される。低分子化合物による発光層はさらに芳香族環化合物、複素環化合物、特殊元素含有化合物に大別される。芳香族環化合物としては、青色発光材料の代表的な化合物であるジスチリルベンゼン誘導体などがあり、複素環化合物としては、金属錯体系の８−ヒドロキシキノリンのアルミニウム錯体（Ａｌｑ錯体）による有機蛍光体などが知られている。また、特殊元素含有化合物としては、Ａｌｑ錯体の誘導体の一種で、ヒドロキシキノリンの１つがトリフェニルシリカノール（Ｓｉ化合物）に置換されて配位している混合配位子錯体が青緑色発光層として用いられている。
また、１つの発光層から出た光を次の層に設置した蛍光体で色変換することで白色光を得ることができる。それとは別に、異なる波長の光を発する発光層を複数重ねて白色光を得ることもでき、本発明においてはその他種々の方法で得られる白色光源を用いることも可能である。
【００４０】
正孔輸送層１０４に用いられる代表的な材料は、銅フタロシアニンなどのフタロシアニン系化合物や芳香族アミン系化合物等である。
【００４１】
陽極層１０５はインジウムスズ酸化物（ＩＴＯ）のような透明電極が好適に用いられる。陰極から電子の注入が行われるため、電極材料にはマグネシウムなどの仕事関数の小さな金属が使用されている。その場合、接着性を増すために少量の銀と共蒸着される場合が多い。その他の電極としてはｍ、共役ポリマーからなる有機電極などがある。また、透明電極を酸により表面処理して形成することもできる。
【００４２】
陰極層１０１は、陽極層と同様に透明電極でも可能であるし、また金属電極を用いることも可能である。金属電極を用いることにより、発光層で発する光を金属面で反射させて、基板側ではなく陽極層側に取り出すことが可能となり、被照明物をより明るく照明することも可能となる。
【００４３】
また、面発光源１０６は、有機エレクトロルミネッセンス（有機ＥＬ）であり、透明電極である陽極層１５（発光面）側から発光する。
【００４４】
図５は本発明に係る原稿照明ユニットにおける第１の実施の形態の構成を示す長手方向断面概略図である。
本実施の形態では、面発光源１０６は連続的に湾曲した凹面形状であり、対向する原稿面位置を照射する。上記構成によれば、図５に示すように、長手方向中心位置から原稿面位置までの距離をａ１、長手方向左端部位置から原稿面位置までの距離をｂ１、長手方向右端部位置から原稿面位置までの距離をｃ１としたときに、ａ１＞ｂ１、ａ１＞ｃ１の関係が成り立つ。
【００４５】
即ち、面発光源１０６は、画像読取装置または画像形成装置に搭載した場合、主走査方向（長手方向）の中央部よりも主走査方向における端部の方が原稿面に近接する構成となっていることを特徴とする。主走査方向の中央部よりも主走査方向における端部の方が原稿面に近接する構成とすることで、原稿照明ユニットの中心部における照明光量と端部における光量とを変化させることが可能となる。
【００４６】
例えば、図１に示した画像読取装置に用いられる縮小光学系の結像レンズと組み合わせる時、このような結像レンズの場合、原稿で反射された信号光がレンズに入射する際、周辺の光量が低くなってしまう。そのため、図５のような構成を用いることにより、主走査方向の中央部よりも主走査方向における端部の方の照度を増やすことができ、原稿読取位置の中央部よりも端部の方を高くすることができる。したがって、結像レンズへの入射角に伴う結像面上の光量の低下を良好に補正することが可能となる。
【００４７】
尚、本実施の形態における面発光源１０６は、長手方向には連続的に湾曲した凹面形状であり、短手方向には平面形状である発光面の形態を採るが、短手方向の発光面形状は如何なる形態であってもよく、短手方向においても湾曲した形状であっても良い。
また、長手方向における凹面形状は、上記光量の低下を補正することが可能な構成であれば如何なる形態であっても良い。例えば、平面と曲面とが組み合わされた発光面の構成であってもよく、長手方向に間隙を設けて不連続に発光面が配置された構成であっても良く、好適な形態を任意で設計することができる。
【００４８】
〔第２の実施の形態〕
図６は本発明に係る原稿照明ユニットにおける第２の実施の形態の構成を示す長手方向断面概略図である。
本実施の形態では、面発光源１０６は長手方向において３の発光平面を有し、該３の発光平面が長手方向において凹面を形成するように配置された凹面形状であり、対向する原稿面位置を照射する。
図５において中央に位置する発光平面は原稿面と平行に配置され、左右に位置する発光平面は端部になるにつれて原稿面と近接するような角度を持って配置されている。
上記構成によれば、図６に示すように、長手方向中心位置から原稿面位置までの距離をａ２、長手方向左端部位置から原稿面位置までの距離をｂ２、長手方向右端部位置から原稿面位置までの距離をｃ２としたときに、ａ２＞ｂ２、ａ２＞ｃ２の関係が成り立つ。
【００４９】
本実施の形態によれば、上記第１の実施の形態で説明したのと同様に発光点から原稿上までの距離を変えることで主走査方向の中央部と主走査方向の端部の照度を変化させることが可能となり、原稿照明ユニットの主走査方向の中央部と主走査方向の端部の光量を変化させることができる。
【００５０】
〔第３の実施の形態〕
図７は本発明に係る原稿照明ユニットにおける第３の実施の形態の構成を示す長手方向断面概略図である。
本実施の形態では、面発光源１０６は長手方向において５の発光平面を有し、該５の発光平面が長手方向において凹面を形成するように配置された凹面形状であり、対向する原稿面位置を照射する。
全ての発光平面は原稿面と平行に配置され、図６において中央に位置する発光平面が原稿面から最も遠くに配置され、両端に近付くに従って原稿面と近接するように配置される構成であり、所謂階段状の構成である。
上記構成によれば、図６に示すように、長手方向中心位置から原稿面位置までの距離をａ３、長手方向左端部位置から原稿面位置までの距離をｂ３、長手方向右端部位置から原稿面位置までの距離をｃ３としたときに、ａ３＞ｂ３、ａ３＞ｃ３の関係が成り立つ。
本実施の形態によれば、上記第１の実施の形態で説明したのと同様に発光点から原稿上までの距離を変えることで主走査方向の中央部と主走査方向の端部の照度を変化させることが可能となり、原稿照明ユニットの主走査方向の中央部と主走査方向の端部の光量を変化させることができる。
【００５１】
上記第１〜３の実施の形態では、縮小系の結像レンズによる周辺光量の低下を補正するために、照明ユニットの周辺の光量を上げるものを提示したが、もちろん、本発明では逆に主走査方向の中央部の光量を上げるような構成も可能である。
【００５２】
（画像読取装置）
図８は本発明の画像読取装置における読取ユニットの第１の実施の形態の構成を示す概略断面図である。
本発明の画像読取装置における読取ユニットはハウジング１１にセルフォックレンズアレイに代表される等倍結像素子１４と電気回路基板１２上に配置されたＣ−ＭＯＳや、ＣＣＤ等の光電変換素子で構成されるラインセンサ１３と、本発明の原稿照明ユニット１５ａ、ｂとで構成され、本読取ユニット全体が、コンタクトガラス２の近傍を図８における左右方向に走査しながら、照明ユニットから照射された光の原稿における反射光をラインセンサで光電変換しながら原稿情報を読取ることを特徴としている。
原稿照明ユニット１５ａ、１５ｂは、図示はされていないが、図面に対して垂直方向に湾曲した凹面形状である。また、図示のとおり本実施の形態における原稿照明ユニット１５ａ、１５ｂは、どちらも短手方向においても湾曲した凹面形状である。
【００５３】
図９は本発明の画像読取装置における読取ユニットの第２の実施の形態の構成を示す概略断面図である。
読取ユニットの第２の実施の形態は、ハウジング２１、２２に反射ミラー２７ａ、ｂ、ｃと結像レンズ２４、ＣＣＤ等によるラインセンサ２６、電気回路２５、ラインセンサと電気回路の位置調整及び固定をする保持機構２３、さらに本発明の原稿照明ユニット２８ａ、ｂとで構成される。本読取ユニットは、コンタクトガラス２の近傍を図の左右方向に走査しながらコンタクトガラス上に配置された原稿２を照明ユニットで照明し、原稿からの反射光を反射ミラーで反射して結像レンズで縮小結像してラインセンサで光電変換しながら原稿情報を読み取る。
原稿照明ユニット２８ａ、２８ｂは、図示はされていないが、図面に対して垂直方向に湾曲した凹面形状である。また、図示のとおり本実施の形態における原稿照明ユニット２８ａ、２８ｂは、どちらも短手方向においても湾曲した凹面形状である。
【００５４】
本発明の原稿照明ユニットを本読取ユニットに用いることで、小型で明るく、低消費電力で照明むらの無い照明が可能となり、さらに、本発明の照明ユニットであれば中心と周辺の光量を変化させることができるため、結像レンズにおける中心と周辺とでラインセンサ上で結像光量の差が発生してしまうのを適正に補正することが可能となる。
【００５５】
また、図示はしていないが、図１に示した従来の画像読取装置においても同様に本発明の原稿照明ユニットを用いることができる。
【００５６】
（画像形成装置）
また同様に、図示はしていないが、図２に示した従来の画像形成装置に本発明の原稿照明ユニットまたは画像読取装置を適用することで、小型で低消費電力の画像形成装置が得られる。
【図面の簡単な説明】
【００５７】
【図１】従来の画像読取装置の構成を示す概略図である。
【図２】従来の画像形成装置の構成を示す概略図である。
【図３】本発明に係る原稿照明ユニットにおける第１の実施の形態の構成を示す短手方向断面概略図である。
【図４】本発明に係る原稿照明ユニットにおける第１の実施の形態の構成を示す概略斜視図である。
【図５】本発明に係る原稿照明ユニットにおける第１の実施の形態の構成を示す長手方向断面概略図である。
【図６】本発明に係る原稿照明ユニットにおける第２の実施の形態の構成を示す長手方向断面概略図である。
【図７】本発明に係る原稿照明ユニットにおける第３の実施の形態の構成を示す長手方向断面概略図である。
【図８】本発明の画像読取装置における読取ユニットの第１の実施の形態の構成を示す概略断面図である。
【図９】本発明の画像読取装置における読取ユニットの第２の実施の形態の構成を示す概略断面図である。
【符号の説明】
【００５８】
１    コンタクトガラス
２    原稿
３    第１走行体
３Ａ  ＬＥＤ
３Ｂ  リフレクタ
３Ｃ  第１ミラー
４    第２走行体
４Ａ  第２ミラー
４Ｂ  第３ミラー
５    画像読取レンズ
６    ラインセンサ
６Ａ、６Ｂ、６Ｃ  光電変換素子
１１    ハウジング
１２    電気回路基板
１３    ラインセンサ１３
１４    等倍結像素子
１５ａ、１５ｂ    照明ユニット
２１    ハウジング
２２    ハウジング
２３    保持機構
２４    結像レンズ
２５    電気回路
２６    ラインセンサ
２７ａ、２７ｂ、２７ｃ    反射ミラー
２８ａ、２８ｂ    照明ユニット
１００    基板
１０１    陰極層
１０２    電子輸送層
１０３    発光層
１０４    正孔輸送層
１０５    陽極層
１０６    シート状発光源
２００    画像読取装置
１１００    感光体
１１１０    帯電ローラ
１１３０    現像装置
１１４０    転写ベルト
１１５０    クリーニング装置
１１６０    定着装置
１１７０    光走査装置
１１８０    カセット
１１９０    レジストローラ対
１２００    画像処理部
１２１０    トレイ
１２２０    給紙コロ
Ｓ    転写紙（記録媒体）
【図１】
2009069452.tif 000003
【図２】
2009069452.tif 000004
【図３】
2009069452.tif 000005
【図４】
2009069452.tif 000006
【図５】
2009069452.tif 000007
【図６】
2009069452.tif 000008
【図７】
2009069452.tif 000009
【図８】
2009069452.tif 000010
【図９】
2009069452.tif 000011